(57)【特許請求の範囲】
【請求項１】
動物用のリードを係留するリード係留装置であって、
ケースと、ケースに出没可能に収納されたフック部材とからなり、
フック部材は、フック部材本体と、フック部材本体の突出側端部に設けられたフックで形成され、フック部材本体の一側に第１の係止部と第２の係止部が形成され、
ケースには、
フック部材を突出する方向に付勢する第１の弾性部材と、
第１の弾性部材によって付勢されたフック部材の第１の係止部又は第２の係止部を係止する係止部材と、
係止部材を係止する方向に付勢する第２の弾性部材と、
第２の弾性部材によって付勢された係止部材を反係止方向に移動させて係止を解除する係止解除手段とが設けられ、
フック部材は、第１の係止部が係止部材に係止されるとフックがケース内に収納され、第２の係止部が係止部材に係止されるとフックの先端とケースとの間の隙間がリードより狭くなり、第１の係止部及び第２の係止部の係止が解除されるとフックの先端とケースとの間の隙間がリードより広くなることを特徴とするリード係留装置。
【請求項２】
前記フック部材は、前記フック部材本体の一側にさらに第３の係止部が形成され、
前記ケースには、第１の弾性部材によって付勢されたフック部材の第３の係止部を係止する係止凸部が形成され、
前記フック部材は、第１の係止部及び第２の係止部の係止が解除されると第３の係止部が係止凸部に係止され、フックの先端とケースとの間の隙間がリードより広くなることを特徴とする請求項１記載のリード係留装置。
【請求項３】
前記フック部材本体は、突出方向に直線状に伸びる形状で形成され、
前記フックは、フック部材本体の突出側端部から、ケース側に向かって湾曲又は屈曲していることを特徴とする請求項１又は２記載のリード係留装置。
【請求項４】
前記係止解除手段は、ケースに取り付けられた弾性板であって、弾性板の一側に押圧突起が設けられ、
押圧突起は、素材の弾性に抗して弾性板が押圧されると、係止部材を反係止方向に移動させて係止を解除するようになっていることを特徴とする請求項１、２又は３記載のリード係留装置。
【発明の詳細な説明】
【技術分野】
【０００１】
本願発明は、動物を繋ぐリードを係留するリード係留装置に関する。
【背景技術】
【０００２】
犬等の動物の散歩中に、公園内、店の前等で動物のリードを一時的に係留するリード係留装置が存在する。リード係留装置は、主に店の壁、店の前にある支柱に取り付けられている。リード係留装置は、壁、支柱に固定して取り付けられる固定部材と、固定部材に可動可能に設けられたフックとで構成される（例えば特許文献１）。フックは、先端が固定部材に近接しており、上方に持ち上げて上動（可動）させると、先端が固定部材から離間して、先端と固定部材に隙間ができる。リードをその隙間から差し込み、フックの先端を元の位置に戻すと、隙間が閉じられ、リードがフックから外れないようになる。リードをフックから外す場合には、フックを上方に持ち上げると、前述したように、フックの先端と固定部材に隙間ができるので、その隙間からリードを外すことができる。
【０００３】
また、異なる形態のリード係留装置も存在する（例えば特許文献２）。このリード係留装置は、壁、支柱に固定して取り付けられる固定部材にフックが一体化しており、固定部材とフックの先端との間に隙間が形成されている。この隙間は、固定部材に取り付けられた留め金によって閉じられている。留め金は、弾性によって閉じる方向に付勢され、先端がフックに圧接している。隙間は、留め金を弾性に抗して開く方向に可動すると開放される。リードを留め金に押しつけると、留め金が可動して隙間ができ、リードをフック内に押し込むことができる。リードがフック内に押し込められると、留め金が弾性により自動復帰して隙間を閉じ、リードがフックから外れないようになる。リードをフックから外す場合には、留め金を下方に押し下げると隙間ができるので、その隙間からリードを外すことができる。
【先行技術文献】
【特許文献】
【０００４】
【特許文献１】特開２０１３−９０５９９号公報
【特許文献２】実用新案登録第３１２６４４３号公報
【発明の概要】
【発明が解決しようとする課題】
【０００５】
従来のリード係留装置は、フックが剥き出しとなっており、見た目が悪いだけでなく、フックに服、バック等が引っ掛かり、動物を連れている人にとっては便利なものではあるが、動物を連れていない人にとっては邪魔な障害物でしかないという問題点があった。また、従来のリード係留装置は、片手で操作できないという問題点があった。特に繋いだリードをリード係留装置から外す場合、一方の手でフック又は留め金を可動して隙間を開けておき、他方の手でリードを隙間から外さなければならず、両手を使わなければならないという面倒があった。片手が荷物等で塞がっている場合、その荷物を地面等の別の場所に一旦置いて、両手を使えるようにしなければならず、不便であるという問題点があった。
【０００６】
本願発明は、上記問題点に鑑み案出したものであって、動物用リードを引っ掛けるフックを収納できる構成にして、見た目を良くすると共にフックが動物用リード以外のものに引っ掛からないようにし、さらに、片手のみで簡単に扱うことができるリード係留装置を提供することを目的とする。
【課題を解決するための手段】
【０００７】
本願請求項１記載のリード係留装置は、上記目的を達成するため、動物用のリードを係留するリード係留装置であって、ケースと、ケースに出没可能に収納されたフック部材とからなり、フック部材は、フック部材本体と、フック部材本体の突出側端部に設けられたフックで形成され、フック部材本体の一側に第１の係止部と第２の係止部が形成され、ケースには、フック部材を突出する方向に付勢する第１の弾性部材と、第１の弾性部材によって付勢されたフック部材の第１の係止部又は第２の係止部を係止する係止部材と、係止部材を係止する方向に付勢する第２の弾性部材と、第２の弾性部材によって付勢された係止部材を反係止方向に移動させて係止を解除する係止解除手段とが設けられ、フック部材は、第１の係止部が係止部材に係止されるとフックがケース内に収納され、第２の係止部が係止部材に係止されるとフックの先端とケースとの間の隙間がリードより狭くなり、第１の係止部及び第２の係止部の係止が解除されるとフックの先端とケースとの間の隙間がリードより広くなることを特徴とする。
【０００８】
本願請求項２記載のリード係留装置は、上記目的を達成するため、前記フック部材は、前記フック部材本体の一側にさらに第３の係止部が形成され、前記ケースには、第１の弾性部材によって付勢されたフック部材の第３の係止部を係止する係止凸部が形成され、前記フック部材は、第１の係止部及び第２の係止部の係止が解除されると第３の係止部が係止凸部に係止され、フックの先端とケースとの間の隙間がリードより広くなることを特徴とする。
【０００９】
本願請求項３記載のリード係留装置は、上記目的を達成するため、前記フック部材本体は、突出方向に直線状に伸びる形状で形成され、前記フックは、フック部材本体の突出側端部から、ケース側に向かって湾曲又は屈曲していることを特徴とする。
【００１０】
本願請求項４記載のリード係留装置は、上記目的を達成するため、前記係止解除手段は、ケースに取り付けられた弾性板であって、弾性板の一側に押圧突起が設けられ、押圧突起は、素材の弾性に抗して弾性板が押圧されると、係止部材を反係止方向に移動させて係止を解除するようになっていることを特徴とする。
【発明の効果】
【００１１】
本願発明に係るリード係留装置は、動物用のリードを係留するリード係留装置であって、ケースと、ケースに出没可能に収納されたフック部材とからなる。フック部材は、フック部材本体と、フック部材本体の突出側端部に設けられたフックで形成され、フック部材本体の一側に第１の係止部と第２の係止部が形成されている。ケースには、フック部材を突出する方向に付勢する第１の弾性部材と、第１の弾性部材によって付勢されたフック部材の第１の係止部又は第２の係止部を係止する係止部材と、係止部材を係止する方向に付勢する第２の弾性部材と、第２の弾性部材によって付勢された係止部材を反係止方向に移動させて係止を解除する係止解除手段とが設けられている。フック部材は、第１の係止部が係止部材に係止されるとフックがケース内に収納され、第２の係止部が係止部材に係止されるとフックの先端とケースとの間の隙間がリードより狭くなり、第１の係止部及び第２の係止部の係止が解除されるとフックの先端とケースとの間の隙間がリードより広くなる。
【００１２】
本願発明に係るリード係留装置は、フック部材を収納する収納状態と、フック部材にリードを外れないように取り付けるフック部材の取付状態と、フック部材からリードを解放するフック部材の開放状態の三形態に変化させることができる。フック部材は、第１の係止部が係止部材に係止されるとケース内に収納される。本願発明に係るリード係留装置は、フック部材がケースに収納されるので、見た目が良くなり、フックが服、バック等に引っ掛からなくなり、邪魔な障害物にはならなくなるという効果がある。
【００１３】
本願発明に係るリード係留装置は、フック部材の収納状態から係止解除手段により係止部材の係止を解除すると、第１の弾性部材の弾性により、フック部材が突出し、フックの先端とケースとの間の隙間がリードより広くなり、フック部材の開放状態となる。リードをフックの先端とケースとの間の隙間からフック部材内に入れ、フック部材を第１の弾性部材の弾性に抗して反弾性方向に押し込むと、第２の係止部が係止部材に係止され、フックの先端とケースとの間の隙間がリードより狭くなる。そのため、リードを外れないように取り付けるフック部材の取付状態となる。この取付状態から係止解除手段により係止部材の係止を解除すると、第１の弾性部材の弾性により、フック部材が突出し、フックの先端とケースとの間の隙間がリードより広くなり、リードを解放するフックの開放状態となる。そのため、簡単に隙間からリードを外すことができる。フック部材を第１の弾性部材の弾性に抗して反弾性方向に押し込むと、リードが存在しないので、第１の係止部が係止部材に係止され、フック部材がケースに収納される。本願発明に係るリード係留装置は、片手で簡単に操作でき、一方の手に荷物を抱えていても、他方の手のみでリードの着脱を行うことができるという効果がある。
【００１４】
本願発明に係るリード係留装置は、前記フック部材の前記フック部材本体の一側にさらに第３の係止部が形成されている。前記ケースには、第１の弾性部材によって付勢されたフック部材の第３の係止部を係止する係止凸部が形成されている。前記フック部材は、第１の係止部及び第２の係止部の係止が解除されると第３の係止部が係止凸部に係止され、フックの先端とケースとの間の隙間がリードより広くなる。
【００１５】
本願発明に係るリード係留装置は、上記効果を有し、収納状態から係止解除手段により係止部材の係止を解除すると、第１の弾性部材の弾性により、フック部材が突出し、第３の係止部が係止凸部に係止され、フックの先端とケースとの間の隙間がリードより広くなり、フックの開放状態となる。リードをフックの先端とケースとの間の隙間からフック部材内に入れ、フック部材を第１の弾性部材の弾性に抗して反弾性方向に押し込むと、第２の係止部が係止部材に係止され、リードを外れないように取り付けるフック部材の取付状態となる。この取付状態から係止解除手段により係止部材の係止を解除すると、第１の弾性部材の弾性により、フック部材が突出し、第３の係止部が係止凸部に係止され、リードを解放するフックの開放状態となる。このように、本願発明に係るリード係留装置は、片手で簡単に操作でき、一方の手に荷物を抱えていても、他方の手のみでリードの着脱を行うことができるという効果がある。
【００１６】
本願発明に係るリード係留装置は、前記フック部材本体が突出方向に直線状に伸びる形状で形成され、前記フックがフック部材本体の突出側端部から、ケース側に向かって湾曲又は屈曲している。本願発明に係るリード係留装置は、上記効果を有し、フックの先端がケースに近接してリードが抜け出るのを防止している状態で、フックとケースの間にリードを保持するスペースが十分に確保されるという効果がある。
【００１７】
本願発明に係るリード係留装置は、前記係止解除手段がケースに取り付けられた弾性板であって、弾性板の一側に押圧突起が設けられ、押圧突起は、素材の弾性に抗して弾性板が押圧されると、係止部材を反係止方向に移動させて係止を解除するようになっている。本願発明に係るリード係留装置は、上記効果を有し、弾性板の一部を押すだけで、簡単に操作することができるという効果がある。
【図面の簡単な説明】
【００１８】
【図１】本願発明に係るリード係留装置の一つの実施の形態を示す斜視図である。
【図２】図１のリード係留装置の収納状態説明図であって、（ａ）が上面断面図、（ｂ）が正面図である。
【図３】図１のリード係留装置の分解図である。
【図４】図１のリード係留装置の仕切り板の説明図であって、（ａ）が上面図、（ｂ）が正面図である。
【図５】図１のリード係留装置の操作部材の斜視図である。
【図６】図１のリード係留装置の開放状態説明図であって、（ａ）が上面断面図、（ｂ）が正面図である。
【図７】図１のリード係留装置の取付状態説明図であって、（ａ）が上面断面図、（ｂ）が正面図である。
【図８】図１のリード係留装置の取付説明図である。
【図９】図１のリード係留装置の使用説明図であって、（ａ）がフックの収納状態を示す図、（ｂ）がフックの開放状態を示す図、（ｃ）が取付状態を示す図である。
【発明を実施するための形態】
【００１９】
リード係留装置１は、図１，２に示すように、動物用のリードＬを係留するものであって、ケース２と、ケース２に出没可能に収納されたフック部材４０とからなる。フック部材４０は、フック部材本体４１と、フック部材本体４１の突出側端部に設けられたフック５０で形成されている。フック部材本体４１の一側には、第１の係止部４４と第２の係止部４５が形成されている。ケース２には、フック部材４０を突出する方向に付勢する第１の弾性部材４９と、第１の弾性部材４９によって付勢されたフック部材４０の第１の係止部４４又は第２の係止部４５を係止する係止部材６０と、係止部材６０を係止する方向に付勢する第２の弾性部材６７と、第２の弾性部材６７によって付勢された係止部材６０を反係止方向に移動させて係止を解除する係止解除手段８０とが設けられている。
【００２０】
フック部材４０は、図２に示すように、第１の係止部４４が係止部材６０に係止されるとフック５０がケース２内に収納され、図７に示すように、第２の係止部４５が係止部材６０に係止されるとフック５０の先端５２とケース２との間の隙間がリードＬより狭くなり、図６に示すように、第１の係止部４４及び第２の係止部４５の係止が解除されるとフック５０の先端５２とケース２との間の隙間がリードＬより広くなる。
【００２１】
このように、リード係留装置１は、フック部材４０を収納する収納状態と、フック部材４０にリードＬを外れないように取り付けるフック部材４０の取付状態と、フック部材４０からリードＬを解放するフック部材４０の開放状態の三形態に変化させることができる。フック部材４０は、第１の係止部４４が係止部材６０に係止されるとフック５０がケース２内に収納される。リード係留装置１は、フック部材４０がケース２に収納されるので、見た目が良くなり、フック５０が服、バック等に引っ掛からなくなり、邪魔な障害物にはならなくなる。
【００２２】
リード係留装置１は、フック部材４０の収納状態から係止解除手段８０により係止部材６０の係止を解除すると、第１の弾性部材４９の弾性により、フック部材４０が突出し、フック５０の先端５２とケース２との間の隙間がリードＬより広くなり、フック部材４０の開放状態となる。リードＬをフック５０の先端５２とケース２との間の隙間からフック部材４０内に入れ、フック部材４０を第１の弾性部材４９の弾性に抗して反弾性方向に押し込むと、図７に示すように、第２の係止部４５が係止部材６０に係止され、フック５０の先端５２とケース２との間の隙間がリードＬより狭くなる。そのため、リード係留装置１は、リードＬを外れないように取り付けるフック部材４０の取付状態となる。
【００２３】
この取付状態から係止解除手段８０により係止部材６０の係止を解除すると、第１の弾性部材４９の弾性により、フック部材４０が突出し、フック５０の先端５２とケース２との間の隙間がリードＬより広くなり、図６に示すように、リードＬを解放するフック部材４０の開放状態となる。そのため、簡単に隙間からリードＬを外すことができる。フック部材４０を第１の弾性部材４９の弾性に抗して反弾性方向に押し込むと、リードＬが存在しないので、図２に示すように、第１の係止部４４が係止部材６０に係止され、フック部材４０がケース２に収納される。リード係留装置１は、片手で簡単に操作でき、一方の手に荷物を抱えていても、他方の手のみでリードＬの着脱を行うことができる。
【００２４】
リード係留装置１は、前記フック部材４０の前記フック部材本体４１の一側にさらに第３の係止部４７が形成されている。図６に示すように、前記ケース２には、第１の弾性部材４９によって付勢されたフック部材４０の第３の係止部４７を係止する係止凸部６ｂが形成されている。前記フック部材４０は、第１の係止部４４及び第２の係止部４５の係止が解除されると第３の係止部４７が係止凸部６ｂに係止され、フック５０の先端５２とケース２との間の隙間がリードより広くなる。
【００２５】
リード係留装置１は、収納状態から係止解除手段８０により係止部材６０の係止を解除すると、第１の弾性部材４９の弾性により、フック部材４０が突出し、第３の係止部４７が係止凸部６ｂに係止され、フック５０の先端５２とケース２との間の隙間がリードＬより広くなり、フック５０の開放状態となる。リードＬをフック５０の先端５２とケース２との間の隙間からフック部材内４０に入れ、フック部材４０を第１の弾性部材４９の弾性に抗して反弾性方向に押し込むと、第２の係止部４５が係止部材６０に係止され、リードＬを外れないように取り付けるフック部材４０の取付状態となる。
【００２６】
この取付状態から係止解除手段８０により係止部材６０の係止を解除すると、第１の弾性部材４９の弾性により、フック部材４０が突出し、第３の係止部４７が係止凸部６ｂに係止され、リードＬを解放するフック５０の開放状態となる。このように、リード係留装置１は、片手で簡単に操作でき、一方の手に荷物を抱えていても、他方の手のみでリードＬの着脱を行うことができる。
【００２７】
リード係留装置１は、前記フック部材本体４１が突出方向に直線状に伸びる形状で形成れ、前記フック５０がフック部材本体４１の突出側端部から、ケース２側に向かって湾曲又は屈曲している。リード係留装置１は、フック５０の先端５２がケース２に近接してリードＬが抜け出るのを防止している状態で、フック５０とケース２の間にリードＬを保持するスペースが十分に確保される。
【００２８】
リード係留装置１は、前記係止解除手段８０がケース２に取り付けられた弾性板であって、弾性板の一側に押圧突起８３が設けられている。押圧突起８３は、素材の弾性に抗して弾性板が押圧されると、係止部材６０を反係止方向に移動させて係止を解除するようになっている。リード係留装置１は、弾性板の一部を押すだけで、簡単に操作することができる。
【００２９】
以下、リード係留装置１について具体的に説明する。図１に示すように、リード係留装置１は、ケース２と、ケース２に出没可能に収納されたフック部材４０とからなる。ケース２は、図２に示すように、ケース本体３と、ケース本体３の側面開放部を覆う仕切り板７０と、仕切り板７０に取り付けられる操作部材８０とからなる。
【００３０】
ケース本体３は、矩形板状に形成された基壁５と、基壁５の下部に設けられた下壁６と、基壁５の上部に設けられた上壁７と、基壁５の前部に設けられた前壁８と、基壁５の後部に設けられた後壁９とからなる。このケース本体３には、フック部材４０のガイド室１０と、係止部材６０の収納室２０と、フック５０の収納室３０が形成されている。ガイド室１０は、前記下壁６と仕切り壁１１と前記後壁９によって、前後方向に向かって延びるように形成されている。なお、基壁５には、筒状の取付軸５ｂ、５ｂが形成されている。
【００３１】
下壁６は、基壁５の前後方向の長さより短く形成され、基壁５の前端５ａより手前の位置まで伸びている。下壁６の前端６ａには、内側に向かって突出する係止縁６ｂが形成されている。また、仕切り壁１１は、前壁８から前方に突出し、後壁９から基壁５の前端５ａ近傍の位置まで伸びている。仕切り壁１１の前端１１ａには、内側に向かって突出する係止縁１１ｂが形成されている。また、仕切り壁１１の略中央は切り欠かれており、端部１１ｃと端部１１ｄの間に隙間１２が形成されている。また、ガイド室１０内には、バネ受け室１３が設けられている。バネ受け室１３は、後壁９に連接された上板１３ａと下板１３ｂとで形成されている。
【００３２】
係止部材６０の収納室２０は、前記仕切り壁１１と、略Ｌ字状のガイド壁１５によって形成されている。ガイド壁１５は、水平壁１６と、水平壁１６と略直角の垂直壁１７とかなり、水平壁１６の前端１６ａが前壁８に接続され、垂直壁１７の後端１７ａが仕切り壁１１の端部１１ｄに接続されている。収納室２０の後部とガイド室１０の中間部が前記隙間１２を介して連通している。フック５０の収納室３０は、基壁５と前壁８の間で形成されている。
【００３３】
フック部材４０は、前後方向に直線状に伸びるフック部材本体４１と、フック部材本体４１の突出側端部（前端部）に略直角に設けられたフック５０とで構成されている。フック部材本体４１は、前記ガイド室１０に収納され、前後方向に移動可能に案内される。フック部材本体４１は、後端４２の上部に上部係合アーム４３を有し、後端４２の下部に下部係合アーム４６を有する。上部係合アーム４３は、略中間に外側に突出する第１の係止突起４４が形成され、後端に外側に突出する第２の係止突起４５が形成されている。また、下部係合アーム４６は、後端に外側に突出する略Ｌ字状の第３の係止突起４７が形成されている。
【００３４】
フック部材本体４１は、後端４２略中央に固定軸４８が設けられている。固定軸４８には、バネ部材４９が巻装されている。フック部材４０は、フック部材本体４１の後端４２と後壁９の間のバネ部材４９によって突出方向に付勢され、第３の係止突起４７が下壁６の係止縁６ｂに係止され、突出状態で保持される。
【００３５】
図２に示すように、フック５０は、基壁５の前端５ａの形状と略同じ形状の輪郭で形成され、前記した収納室３０内に収納可能である。フック５０は、先部５１が内側に略直角となるように湾曲して形成され、先端５２の内側に係合突起５３が設けられている。前壁８には、フック５０が収納室３０内に収納されると、前記係合突起５３に係合する案内突起８ａが設けられている。また、フック部材本体４１の突出側端部であって、フック５０の反対側の面には、係合段部５４が形成されている。係合段部５４は、フック５０が収納室３０内に収納されると、前記係止縁６ｂに当接する。
【００３６】
収納室２０内には、係止部材６０が設けられている。係止部材６０は、前部の両側に支軸６１が設けられ、後部の一方の面に係止爪６２が形成されている。係止爪６２は、前部に形成された傾斜面６３と、後部に形成された垂直面６４とで形成され、垂直面６４が係止面となる。係止部材６０は、後部の他方の面に取付軸６６が設けられている。取付軸６６には、バネ部材６７が巻装されている。
【００３７】
係止部材６０は、支軸６１，６１が収納室２０を構成する水平壁１６と仕切り壁１１に形成された略Ｕ字状の軸受け凹部１６ｂ，１１ｅに回動可能に軸受けされ、収納室２０内で揺動可能に配置されている。係止部材６０は、係止部材６０と基壁５の間に設けられたバネ部材６７によって係止爪６２が係止する方向に付勢され、係止爪６２が前記隙間１２からガイド室１０内に突出し、前記フック部材本体４１の第１の係止突起４４又は第２の係止突起４５を係止して、フック部材本体４１を位置決めする。
【００３８】
図４に示すように、仕切り板７０は、金属板によって形成され、切り抜き加工によって、４カ所に係止片７１と、中央にストッパー片７２と、２カ所にネジ止め穴７３と、さらに２カ所にネジ通し穴７５が形成されている。前記ケース本体３の前壁８と後壁９には、ネジ穴８ｂ，９ｂが形成されている。仕切り板７０は、ネジ通し穴７５，７５をケース本体３の取付軸５ｂ、５ｂに合わせ、ネジ止め穴７３，７３をケース本体３のネジ穴８ｂ，９ｂに合わせ、ネジ穴８ｂ，９ｂにネジを螺着することにより、ケース本体３に取り付けることができる。ストッパー片７２は、図２に示すように、先端が係止部材６０に近接し、係止部材６０の抜け止めを防止する。
【００３９】
操作部材８０は、図５に示すように、ゴム、軟質合成樹脂等の弾性を有する弾性素材で一体成形され、正面板８１と、正面板８１の周囲に形成された周壁８２とからなる。正面板８１は、周壁８２内部側に、押圧突起８３が突設形成され、押圧突起８３の周囲４カ所にボス８５が形成されている。操作部材８０は、可撓性を有するので、図２に示すように、ボス８５の内孔８６に前記係止片７１を圧入することによって、仕切り板７０に取り付けられる。前記押圧突起８３は、ストッパー片７２の抜き穴７６を貫通して、先端が係止部材６０に当接する。操作部材８０は、ケース２を覆うカバーとしても機能する。
【００４０】
リード係留装置１は、構成を有し、次のように使用することができる。リード係留装置１は、支柱、壁等にネジにより取り付けることができる。操作部材８０をケース２に取り付ける前に、仕切り板７０のネジ通し穴７５，７５からネジを通してケース本体３の取付軸５ｂ、５ｂにねじ込み、ねじを壁Ｗに螺着させて、図８に示すように、ケース２を壁Ｗに固定する。次に、操作部材８０のボス８５の内孔８６に仕切り板７０の係止片７１を圧入させることによって、操作部材８０を仕切り板７０に取り付ける。操作部材８２の押圧突起８３が、ストッパー片７２の抜き穴７６を貫通して、先端が係止部材６０に当接する。
【００４１】
リード係留装置１は、フック部材４０を３カ所で位置決めすることができる。図６に示すように、フック部材４０がケース２から突出した状態の時は、バネ部材４９の弾性により、フック部材４０が突出方向に付勢されており、下部係合アーム４６の第３の係止突起４７がケース本体３の係止縁６ｂに圧接係止され、フック５０がケース２から大きく開放された状態で位置決めされている。この状態がフック部材４０の開放状態である。この開放状態では、フック５０の先端５２とケース２の前端２ａの間に隙間が形成されている。
【００４２】
図７に示すように、フック部材４０をバネ部材４９の弾性に抗して押し込むと、フック部材本体４１の一部がガイド室内１０内に収納され、下部係合アーム４６の第３の係止突起４７がケース本体３の係止縁６ｂから外れ、上部係合アーム４３の第２の係止突起４５が係止部材６０の係止爪６２に圧接係止され、フック５０がケース２から少し開放され、フック５０の先端５２がケース本体３の前端２ａに重なった状態で位置決めされる。この状態がフック部材４０の取付状態である。この取付状態では、フック５０の先端５２とケース２の前端２ａの間に隙間がほとんどないが、フック５０とケース２の前端２ａの間に収容スペース５５が形成されている。
【００４３】
なお、フック部材４０をバネ部材４９の弾性に抗して押し込むと、前記第２の係止突起４５が前記係止爪６２の傾斜面６３に接触する。係止爪６２は、第２の係止突起４５に押圧され、バネ部材６７の弾性に抗して反係止方向に移動する。第２の係止突起４５が傾斜面６３から外れて係止爪６２を乗り越えると、係止爪６２はバネ部材６７の弾性により元の位置に復帰し、第２の係止突起４５が係止爪６２の垂直面６４に圧接係止する。このように、上部係合アーム４３の第２の係止突起４５が係止部材６０の係止爪６２に圧接係止される。
【００４４】
図２に示すように、フック部材４０をバネ部材４９の弾性に抗してさらに押し込むと、フック部材本体４１がガイド室内１０内に収納され、フック５０が収納室３０内に収納され、上部係合アーム４３の第１の係止突起４４が係止部材６０の係止爪６２に圧接係止され、フック部材４０がケース２内に完全に収納されて位置決めされている。この状態がフック部材４０の収納状態である。フック５０は、係止縁１１ｂに当接し、係合突起５３が案内突起８ａに係合している。また、係合段部５４が係止縁６ｂに当接している。
【００４５】
なお、フック部材４０をバネ部材４９の弾性に抗して押し込むと、前記第１の係止突起４４が前記係止爪６２の傾斜面６３に接触する。係止爪６２は、第１の係止突起４４に押圧され、バネ部材６７の弾性に抗して反係止方向に移動する。第１の係止突起４４が傾斜面６３から外れて係止爪６２を乗り越えると、係止爪６２はバネ部材６７の弾性により元の位置に復帰し、第１の係止突起４４が係止爪６２の垂直面６４に圧接係止する。このように、上部係合アーム４３の第１の係止突起４４が係止部材６０の係止爪６２に圧接係止される。
【００４６】
リード係留装置１は、図９（ａ）に示すように、フック部材４０がケース２内に収納された状態で待機している。フック部材４０がケース２から突出していないので、フック５０に服、バック等が引っ掛かることがなく、邪魔になることはない。片手で操作部材８０を押すと、押圧突起８３が係止部材６０を弾性部材６７の弾性に抗して押し込み、係止爪６２が反係止方向に移動する。
【００４７】
係止爪６２が第１の係止突起４４から外れるので、フック部材４０がバネ部材４９の弾性により突出し、図６，図９（ｂ）に示すように、下部係合アーム４６の第３の係止突起４７がケース本体３の係止縁６ｂに圧接係止され、フック５０がケース２から大きく開放された状態で位置決めされる。この開放状態の時、フック５０の先端５２とケース２の前端２ａの間に形成された隙間から、動物用リードＬを差し込む。
【００４８】
この状態では、動物用リードＬが隙間から外れてしまうので、図７，図９（ｃ）に示すように、フック部材４０をバネ部材４９の弾性に抗して押し込むと、フック部材本体４１の一部がガイド室内１０内に収納され、上部係合アーム４３の第２の係止突起４５が係止部材６０の係止爪６２に圧接係止され、フック５０の取付状態になる。動物用リードＬは、フック５０とケース２の間の収容スペース５５に位置しているが、フック５０の先端５２とケース２の前端２ａの間に隙間がほとんどないので、フック５０から外れることがない。なお、フック５０は、図９（ｃ）に示すように、動物用リードＬが引っ掛かっているので、ケース２内に収納することはできない。
【００４９】
リードＬをフック５０から外す時には、片手で操作部材８０を押すと、押圧突起８３が係止部材６０を弾性部材６７の弾性に抗して押し込み、係止爪６２が第２の係止突起４５から外れるので、フック部材４０がバネ部材４９の弾性により突出し、図６，図９（ｂ）に示すように、下部係合アーム４６の第３の係止突起４７がケース本体３の係止縁６ｂに圧接係止され、フック５０がケース２から大きく開放された状態で位置決めされる。この開放状態の時、フック５０の先端５２とケース２の前端２ａの間に形成された隙間から、動物用リードＬを引き出すことができる。
【００５０】
リード係留装置１は、フック５０から動物用リードＬを外したら、図２に示すように、フック部材４０をバネ部材４９の弾性に抗して押し込み、上部係合アーム４３の第１の係止突起４４を係止部材６０の係止爪６２に圧接係止させて、フック部材４０をケース２内に完全に収納されておくことが望ましい。リード係留装置１は、フック部材４０の出し入れをワンタッチで行うことができ、両手を使わなくてもいいので、他方の手で荷物を持ちながら、一方の手で動物用リードＬを引掛かけ、さらに一方の手で動物用リードＬを外すことができる。
【産業上の利用可能性】
【００５１】
本願発明は、動物を繋ぐリードを係留するリード係留装置として広く利用可能である。
【符号の説明】
【００５２】
１  リード係留装置
２  ケース
２ａ  前端
３  ケース本体
５  基壁
５ａ  前端
５ｂ  取付軸
６  下壁
６ａ  前端
６ｂ  係止縁（係止凸部）
７  上壁
８  前壁
８ａ  案内突起
８ｂ  ネジ穴
９  後壁
９ｂ  ネジ穴
１０  ガイド室
１１  仕切り壁
１１ａ  前端
１１ｂ  係止縁
１１ｃ  端部
１１ｄ  端部
１１ｅ  軸受け凹部
１２  隙間
１３  バネ受け室
１３ａ  上板
１３ｂ  下板
１５  ガイド壁
１６  水平壁
１６ａ  前端
１６ｂ  軸受け凹部
１７  直角壁
１７ａ  後端
２０  収納室
３０  収納室
４０  フック部材
４１  フック部材本体
４２  後端
４３  上部係合アーム
４４  第１の係止突起（第１の係止部）
４５  第２の係止突起（第２の係止部）
４６  下部係合アーム
４７  第３の係止突起（第３の係止部）
４８  固定軸
４９  バネ部材（第１の弾性部材）
５０  フック
５１  先部
５２  先端
５３  係合突起
５４  係合段部
５５  収容スペース
６０  係止部材
６１  支軸
６２  係止爪
６３  傾斜面
６４  垂直面
６６  取付軸
６７  バネ部材（第２の弾性部材）
７０  仕切り板
７１  係止片
７２  ストッパー片
７３  ネジ止め穴
７５  ネジ通し穴
７６  抜き穴
８０  操作部材（係止解除手段）
８１  正面板
８２  周壁
８３  押圧突起
８５  ボス
８６  内孔
【図１】
0006655445.tif 000002
【図２】
0006655445.tif 000003
【図３】
0006655445.tif 000004
【図４】
0006655445.tif 000005
【図５】
0006655445.tif 000006
【図６】
0006655445.tif 000007
【図７】
0006655445.tif 000008
【図８】
0006655445.tif 000009
【図９】
0006655445.tif 000010